(57)【要約】      （修正有）【課題】ペンダントトップに於いても強い磁気を得ようとする磁気ネックレスを提供する。【解決手段】左右肩部上面処に取り付けてなる事を目的とする半貴石の背面に、マグネットシートを接着固定１２し、マグネットシート背面にアルミ蓋板１３２を取り付けてなる半貴石を設ける。【選択図】図５
0003196508.tif 000002
【実用新案登録請求の範囲】
【請求項１】
半貴石の背面にマグネットシート状の磁気を接着固定し、磁気背面にアルミ蓋板を取り付けてなる。
【請求項２】
表面が全体造形で構成した背面にマグネットシート状の磁気を接着固定し、磁気背面にアルミ蓋板を接着固定してなる磁気ネックレス。
【考案の詳細な説明】
【技術分野】
【０００１】本考案は、磁力を腹部・肩の静脈動脈上に当てる磁気ネックレスに関する。
【背景技術】
【０００２】磁気ネックレスは、全周に磁石が付いており、ペンダントトップは、一種の飾りであった。【０００３】ペンダントトップに於いても磁力を有する事を目的とする。【０００４】人体肩部に付いて、対応する磁気には、肩こりを改善しようとする事を目的とする。【０００５】前記これらの処は、磁気ネックレス要部との関係について意識されていなかった。
【先行技術文献】
【０００６】
【実用新案文献】
〔実用新案文献１〕実用新案３１８１８７５号公報
〔実用新案文献２〕実用新案３１８９５０６号公報
〔実用新案文献３〕出願（申請）番号  実願２０１４−３９８１
〔整理番号〕１
〔実用新案文献４〕実用新案３１８４８９０公報
【背景技術】
【０００７】ペンダントトップに於いて、ネックレス最下端の美的飾りである故に、通常は重量的に軽軽しく出来ていたのでネックレス全体が首掛使用時に、震えていた。【０００８】ストレス性の肩こりに対応するに、表面に半貴石等でデザインし、内側に磁石を固着していたが、それ以上は意識されていなかった。
【考案の概要】
【考案が解決しようとする課題】
【０００９】従来のチェーンタイプの磁気ネックレスは、全周に磁石が付いて居り、とくに首囲りに於いて磁気が肩コリ部分に当たるが、且つ磁気と同時に凸起が当たるものでは無い故に、肩こりを改善する効果が薄い課題がある。【００１０】ペンダントトップに於いて磁気を一層強力に得ようとするものである。【００１１】ペンダントトップ背面側にアルミ盤を固着し、強度及び適応な重量を得ようとするものである。
【課題を解決するための手段】
【００１２】一例として貝殻の組合せ等で構成し、奇麗にデザインされた表面の背面に、０．８ＭＭの薄肉のマグネット状の磁気を接着固定し、且つ磁気裏面に０．１ＭＭまたは０．３ＭＭのアルミ蓋板を接着固定して構成したペンダントトップである。【００１３】人体左右肩部に構成なる半貴石に付いて、その裏側に薄肉のマグネットシート状の磁気（肉厚０．８ＭＭ）を接着固定し、その磁気裏面にアルミ蓋板を固定するも、アルミ蓋板中央部外面に微小の凸起（高さ３ＭＭ）を設けてなる。
【考案の効果】
【００１４】人体肩部に於ける、本考案半貴石の背面のマグネットシート状磁気に、アルミ蓋板を固定して磁気となり、且つ凸起に依り肩こりを解消しようとするものである。【００１５】ペンダントトップの表面と、裏面のアルミ蓋板の中間に磁気を設けている故に、磁気が体中へ入る様に構成された磁気ネックレスである。
【図面の簡単な説明】
【００１６】
【図１】本考案の全体を表現した図である。
【図２】ペンダントトップを表現した一部切欠断面図。
【図４】半貴石の実施例を表現した断面図。
【図５】ペンダントトップの一部を切欠き磁気とアルミ蓋板を現出した図。
【考案を実施するための形態】
【００１７】本考案要部を説明すれば、一例として半貴石等の美麗にデザインされた表面の背面に、薄肉例えば肉厚０．８ＭＭのマグネットシート状の磁気を貴金属銀粘土または焼成土粘土で接着固定し、その磁気裏面に磁気より大とするアルミ蓋板（肉厚０．１〜０．３ＭＭ）を接着固定し、またアルミ蓋板中央部外面に微小例えば高さ３ＭＭの凸起体を設けてなる。
【００１８】つぎにペンダントトップに付いて説明すれば、一例として貝殻等で奇麗にデザイン構成された表面の背面に、例えば０．８ＭＭの薄肉のマグネットシート状の磁気を貴金属銀粘土または焼成土粘土等で接着固定し、その裏面に磁気より大とするアルミ蓋板（肉厚０．１〜０．３ＭＭ）を接着固定してなる。
【実施例】
【００１９】本考案は、香水を含有した綿塊（フェルト）を封入してなるロケットを人体首背面側に構成してある香るネックレスと接続している。【００２０】最下端に丸カン・釣フック等の連結金具でペンダントトップを掛けてなる。【００２１】以下添付図面に従って一実施例を説明する。
全体がオペラ（７０〜８０ｃｍ）のネックレスである。
人体首部１より僅か下方に半貴石２１  ２２を丸カン・Ｃカン３にて連結して成るも、磁石４を多数連接して構成した磁気ネックレスである。【００２２】表面中央に極小の多面体貴石５等又はダイヤモンド・長さ２．５ＭＭ・０．０５カラットを接着固定した半貴石２の背面に、マグネットシート状の磁気６１（１２０ミリテスラ・異方性２２ミリテスラ）を銀粘土・土粘土を介して接着固定し、磁気より大とするアルミ蓋板７１（肉厚０．１〜０．３ＭＭ）を接着固定し、且つアルミ蓋板中央部外面に高さ３ＭＭの先方が丸い凸起体８を設けてなる。【００２３】ペンダントトップに付いて説明すれば、貝殻９等でデザインを施し、これに貴金属粘土等で全体造形を構成した奇麗な表面１０の背面に、０．８ＭＭの薄肉のマグネットシート状の磁気１１２（１２０ＭＭテスラ・異方性２２ＭＭテスラ）を接着固定１２し、磁気背面にアルミ蓋板１３２を接着固定してなる。【００２４】最下端に丸カン等の連結金具１４でペンダントトップ１５を掛けてなる。【００２５】本考案の一実施例は上述の如き構成であるが、従来ネックレスは首飾りを主とした。
これに香りが漂う事を施し、且つ磁気ネックレスとし、凸起を要して微細な指圧をする。煌く半貴石を構成し、ペンダントトップに磁気を設けてなる。以って本考案全体は、香りと磁気を有するネックレスである。
【符号の説明】
【００２６】１      人体首部
２      半貴石
３      丸カン・Ｃカン
４      磁石
５      多面体貴石
６１    マグネットシート状の磁気
７１    アルミ蓋板
８      凸起体
９      貝殻
１０    奇麗な表面
１１２  マグネットシート状の磁気
１２    接着固定
１３２  アルミ蓋板
１４    連結金具
１５    ペンダントトップ
【図１】
0003196508.tif 000003
【図２】
0003196508.tif 000004
【図３】
0003196508.tif 000005
【図４】
0003196508.tif 000006
【図５】
0003196508.tif 000007
【手続補正書】
【提出日】平成26年12月17日(2014.12.17)
【手続補正１】
【補正対象書類名】実用新案登録請求の範囲
【補正対象項目名】全文
【補正方法】変更
【補正の内容】
【実用新案登録請求の範囲】
【請求項１】
左右肩部上面処に取り付けてなる事を目的とする半貴石の背面に、マグネットシートを接着固定し、前記マグネットシート背面にアルミ蓋板を取り付けてなる半貴石を設けた事を特徴とする磁気ネックレス。
【手続補正２】
【補正対象書類名】明細書
【補正対象項目名】００１６
【補正方法】変更
【補正の内容】
【００１６】
【図１】本考案の全体を現出した図。
【図２】ペンダントトップの一部切欠断面図。
【図３】ネックレス本体と連結なした半貴石の正面図。
【図４】半貴石の実施例を表現した断面図。
【図５】ペンダントトップの一部を切欠きマグネットシート及びアルミ蓋板を現出した図。